(57)【要約】【課題】シリンジを用いて薬剤容器から薬剤を吸引するとき、針を薬剤容器の蓋体から引き抜く際に、針に付着した薬剤が飛散するのを防止することができる針カバー、針アセンブリ及び針付きシリンジを提供する。【解決手段】本発明は、蓋体によって直接的または間接的に開口部が閉じられた薬剤容器に対し、針穴が形成された針を有する針ユニットが取付けられたシリンジを用い、前記針により前記蓋体を刺通することで前記薬剤容器内に収容された薬剤の吸引を行う際に用いられる針カバーであって、弾性材料により形成され、前記針を収容するように前記針ユニットに取り付けられる筒状のカバー本体と、前記針カバーの先端部に取り付けられ、前記針カバーと、前記蓋体とを着脱自在に固定する固定機構と、を備えている。【選択図】図４
2014236906.tif 000002
【特許請求の範囲】
【請求項１】
蓋体によって直接的または間接的に開口部が閉じられた薬剤容器に対し、針穴が形成された針を有する針ユニットが取付けられたシリンジを用い、前記針により前記蓋体を刺通することで前記薬剤容器内に収容された薬剤の吸引を行う際に用いられる針カバーであって、
弾性材料により形成され、前記針を収容するように前記針ユニットに取り付けられる筒状のカバー本体と、
前記針カバーの先端部に取り付けられ、当該針カバーと、前記蓋体とを着脱自在に固定する固定機構と、
を備えている、針カバー。
【請求項２】
前記カバー本体の先端部を閉鎖する閉鎖部をさらに備えている、請求項１に記載の針カバー。
【請求項３】
前記固定機構は、係合部を備えており、当該係合部は前記蓋体に設けられた被係合部と着脱自在に係合する、請求項１または２に記載の針カバー。
【請求項４】
前記固定機構は、前記蓋体に刺し込まれる少なくとも１つの突起を備えている、請求項１または２に記載の針カバー。
【請求項５】
前記蓋体は、前記薬剤容器の開口部を塞ぐ閉鎖部材と、前記閉鎖部材を密閉するように前記薬剤容器に着脱自在に取り付けられる蓋カバーと、を備え、
前記固定機構は、前記蓋カバーに対して着脱自在に構成されている、請求項１から４のいずれかに記載の針カバー。
【請求項６】
前記薬剤容器は、薬剤容器収容装置に気密に収容されており、
前記蓋体は、前記薬剤容器の開口部を閉鎖する第１蓋部材と、前記薬剤容器収容装置に取付けられ、収容された前記薬剤容器の第１蓋部材と対向する第２蓋部材と、で構成されており、
前記固定機構は、前記第２蓋部材に対して着脱自在に構成されている、請求項１から４のいずれかに記載の針カバー。
【請求項７】
医療用のシリンジに装着される針アセンブリであって、
前記シリンジの内部空間に連通する針穴が形成された針を有する針ユニットと、
請求項１から６のいずれかに記載の針カバーと、
を備える、針アセンブリ。
【請求項８】
内部空間を規定するシリンダと、
前記シリンダ内で往復動するプランジャと、
前記シリンジの内部空間に連通する針穴が形成された針を有する針ユニットと、
請求項１から６のいずれかに記載の針カバーと、
を備える、医療用の針付きシリンジ。
【発明の詳細な説明】
【技術分野】
【０００１】
本発明は、医療用のシリンジに装着される針ユニットに取り付けられる針カバー、並びに、これを備える針アセンブリ及び針付きシリンジに関する。
【背景技術】
【０００２】
従来より、血液が漏れることを防ぐべく、針の基台部に針を覆う弾性材料からなる針カバーを取り付けた採血用の注射器が公知である（特許文献１参照）。この針カバーは、両頭針の一方針である内針部に被せられており、他方針である外針部を血管に挿入し、次いで内針部を真空採血管のゴム栓に突き刺して貫通させ、血液採取を行う。その後、内針部を真空採血管のゴム栓から引き抜くと、針カバーの有する弾性により自動的に針カバーが元の形状に復元し、内針部が針カバー内に収容される。また、この弾性により、針の通り抜けにより針カバーに形成された貫通孔も自動的に閉じられる。その結果、正に内針部が真空採血管のゴム栓に挿入されている間を除いて、針は針カバーで覆われることになり、血液の飛散が防止される。
【先行技術文献】
【特許文献】
【０００３】
【特許文献１】実開昭４８−８１６９３号公報
【発明の概要】
【発明が解決しようとする課題】
【０００４】
ところで、シリンジにより薬剤容器の薬剤を吸引する際には、まず、蓋体に対して針を刺し込む。針カバーは、針を覆いつつ、蓋体への針の進入にしたがって、シリンジと蓋体との間で縮んでいく。そして、シリンジにより薬剤を吸引した後、針を薬剤容器の蓋体から引き抜くと、針カバーは弾性により伸長していく。これにより、針は針カバーによって覆われるため、針に付着した薬剤が飛散するのが防止される。しかしながら、針を素早く引き抜いた場合には、針カバーが伸長して針を覆う前に、蓋体から引き抜かれた針が露出するおそれがある。これにより、針に付着した薬剤が飛散するという問題がある。
【０００５】
本発明は、上記問題を解決するためになされたものであり、シリンジを用いて薬剤容器から薬剤を吸引するとき、針を薬剤容器の蓋体から引き抜く際に、針に付着した薬剤が飛散するのを防止することができる針カバー、針アセンブリ及び針付きシリンジを提供することを目的とする。
【課題を解決するための手段】
【０００６】
本発明は、蓋体によって直接的または間接的に開口部が閉じられた薬剤容器に対し、針穴が形成された針を有する針ユニットが取付けられたシリンジを用い、前記針により前記蓋体を刺通することで前記薬剤容器内に収容された薬剤の吸引を行う際に用いられる針カバーであって、弾性材料により形成され、前記針を収容するように前記針ユニットに取り付けられる筒状のカバー本体と、前記針カバーの先端部に取り付けられ、前記針カバーと、前記蓋体とを着脱自在に固定する固定機構と、を備えている。
【０００７】
シリンジにより、薬剤容器の薬剤を吸引する際には、まず、蓋体に対して針を刺し込む。このとき、本発明のカバー本体は針を覆いつつ、蓋体への針の進入にしたがって、シリンジと蓋体との間で縮んでいく。そして、シリンジにより薬剤を吸引した後、針を薬剤容器の蓋体から引き抜いても、針カバーの先端は固定機構により、蓋体に固定されている。したがって、針が蓋体から完全に引き抜かれても、針は、依然として針カバーと蓋体とで囲まれた空間内にあるため、針に付着する薬剤が外部に漏れるのを防止することができる。そして、針をさらに引っ張ると、針カバーは蓋体から離脱する。この状態で、針は、針カバーの内部に位置しているため、薬剤は漏れることがない。このように、本発明に係る針カバーによれば、薬剤の吸引後に、針を薬剤容器の蓋体から引き抜く際に、針に付着した薬剤が外部に漏れるのを防止することができる。
【０００８】
上記針カバーにおいては、前記カバー本体の先端部を閉鎖する閉鎖部をさらに備えることかできる。このように、針カバーの先端部が閉鎖されている場合には、次のような問題がある。まず、薬剤の吸引に先だって、針は閉鎖部及び蓋体を刺通して薬剤容器に刺し込まれる。そして、蓋体から針を引き抜くと、蓋体とシリンジとの間で縮められた針カバーは弾性により伸長していき、針は、蓋体から引き抜かれるにしたがって針カバーに収容される。しかしながら、針を素早く引き抜くと、針カバーが弾性により伸長して針を収容する前に針が露出する。そして、針に付着した薬剤は、針カバーが伸長する際に、閉鎖部によって擦り取られて飛散するおそれがある。
【０００９】
これに対して、本発明においては、針が素早く引き抜かれても、針カバーの先端部が蓋体に固定されているため、針が閉鎖部を通過して針カバーに収容されるまでは、針が露出することを防止することができる。その結果、針に付着した薬剤が飛散するのを確実に防止することができる。
【００１０】
上記固定機構の構成は、特には限定されないが、例えば、次のように構成することができる。まず、前記固定機構が、係合部を備え、当該係合部が前記蓋体に設けられた被係合部と着脱自在に係合するように構成することができる。
【００１１】
また、前記固定機構が、前記蓋体に刺し込まれる少なくとも１つの突起を備えるように構成することができる。
【００１２】
固定機構がいずれの態様においても、針カバーの先端部が蓋体に着脱自在に固定されるため、上述した効果を得ることができる。
【００１３】
上記針カバーは、種々の態様の蓋体に対して適用可能である。例えば、前記蓋体が、前記薬剤容器の開口部を塞ぐ閉鎖部材と、前記閉鎖部材を密閉するように前記薬剤容器に着脱自在に取り付けられる蓋カバーと、を備え、前記固定機構は、前記蓋カバーに対して着脱自在に構成することができる。このように、蓋カバーを用いることで薬剤容器の開口部を二重に閉鎖することができるため、薬剤の曝露を確実に防止することができる。
【００１４】
あるいは、次のようにすることもできる。まず、前記薬剤容器を、薬剤容器収容装置に気密に収容し、前記蓋体を、前記薬剤容器の開口部を閉鎖する第１蓋部材と、前記薬剤容器収容装置に取付けられ収容された前記薬剤容器の第１蓋部材と対向する第２蓋部材と、で構成する。そして、前記固定機構を、前記第２蓋部材に対して着脱自在に構成することができる。このように、薬剤容器全体を、薬剤容器収容装置に収容した場合にも、本発明の針カバーを適用することができる。
【００１５】
また、本発明に係る針アセンブリは、医療用のシリンジに装着される針アセンブリであって、前記シリンジの内部空間に連通する針穴が形成された針を有する針ユニットと、上述したいずれかに記載の針カバーと、を備える。
【００１６】
また、本発明に係る医療用の針付きシリンジは、内部空間を規定するシリンダと、前記シリンダ内で往復動するプランジャと、前記シリンジの内部空間に連通する針穴が形成された針を有する針ユニットと、上述したいずれかに記載の針カバーと、を備える。
【発明の効果】
【００１７】
本発明によれば、シリンジを用いて薬剤容器から薬剤を吸引するとき、針を薬剤容器の蓋体から引き抜く際に、針に付着した薬剤が飛散するのを防止することができる。
【図面の簡単な説明】
【００１８】
【図１】（ａ）シリンジに針アセンブリが装着された状態の、本発明の一実施形態に係る注射器（針付きシリンジ）の外観を示す図、及び（ｂ）シリンジから針アセンブリが取り外された状態の、本発明の一実施形態に係る注射器（針付きシリンジ）の外観を示す図である。
【図２】薬剤容器を示す断面図である。
【図３】アセンブリ及びシリンジの下部を示す拡大図である。
【図４】注射器を用いて薬剤容器へ針を刺通する作業を示す図である。
【図５】注射器を用いて薬剤容器から薬剤を抜き取る作業を示す図である。
【図６】従来例を示す図である。
【図７】針カバーの他の例を示す図である。
【図８】針カバーの他の例を示す図である。
【図９】針カバーの他の例を示す図である。
【図１０】蓋カバーを示す図である。
【図１１】薬剤容器収容装置を示す図である。
【発明を実施するための形態】
【００１９】
以下、図面を参照しつつ、本発明に係る針カバー、並びに、これを備える針アセンブリ、及び針付きシリンジを、医療用の注射器に適用した場合の一実施形態について説明する。図１はシリンジに針アセンブリが装着された状態（図１（ａ））とシリンジから針アセンブリが取り外された状態（図１（ｂ））を示す図、図２は薬剤容器の断面図である。
【００２０】
＜１．注射器の全体構成＞
図１（Ａ）に示すように、本実施形態に係る注射器は、シリンジ３と、このシリンジ３に装着される針アセンブリ２と、を備えている。針アセンブリ２は、図１（Ｂ）に示すように、シリンジ３に対し着脱可能である。そのため、両者は注射器１の使用開始前においては別々に保管されているが、注射器１の使用開始時にネジ構造の連結機構４０を介して強固に固定される。針アセンブリ２は、針ユニット２Ａと、針ユニット２Ａに含まれる針２０を保護するための弾性変形する柔軟なシース３０（針カバー）とを備えている。シース３０は、細長い袋状であり、その袋内に針２０を包み込むような態様で、針ユニット２Ａに取り付けられている。各部材の詳細は後述する。
【００２１】
本実施形態における注射器１は、図２に示す薬剤容器５０から薬剤を抜き取るのに利用される。ここで対象とされる薬剤は、主として細胞毒性を有する薬剤であり、曝露すると、これを取り扱う者（主として、医療従事者。以下、ユーザーと言う。）に重篤な副作用を及ぼしたり、細胞毒性に由来する健康被害を及ぼしたり等、する可能性のある薬剤である。このような薬剤の例としては、抗悪性腫瘍剤、免疫抑制剤、抗ウィルス剤、抗生物質、放射性医薬品等が挙げられる。なお、注射器１は、細胞毒性を有する薬剤のほか、臭気性や刺激性を有する薬剤等、外部に曝露することが問題となり得る薬剤を薬剤容器５０から抜き取るのにも利用することができる。
【００２２】
また、薬剤容器５０から注射器１で吸引される薬剤は、主として液体状の薬剤であり、従って、薬剤容器５０内に封入されている薬剤は、主として元々液体状であるか、或いは、粉末状や固体状、気体状の用時溶解タイプの薬剤である。後者の薬剤の場合には、薬剤容器５０から薬剤を抜き取るに当たり、薬剤容器５０内に注射器１又は別の注射器１を用いて混合液を注入する。そして、その後、粉末状等の薬剤が溶解した混合薬液を、注射器１により薬剤容器５０から取り出すことになる。なお、混合液とは、生理食塩水やリンゲル液、蒸留水等であって、薬剤を溶解したり、希釈したりするための溶液である。また、ここでいう薬剤の混合とは、例えば、医師、歯科医師又は獣医師の処方箋により行われる調剤行為や、患者が自ら混合する行為や、製薬会社等において混合薬液を製造するために行われる行為等であり、薬剤と混合液とを混合した混合薬液を生成する任意の行為を意味する。
【００２３】
＜２．薬剤容器の構成＞
次に、薬剤容器５０の構造について説明する。図２に示すように、薬剤容器５０は、バイアル等と呼ばれる薬剤入りの容器であり、略円柱形状のガラス製のボトル本体５１と、このボトル本体５１の上部に形成された開口を閉鎖するボトル栓（蓋体）５２とを有する。ボトル栓５２は、ボトル本体５１の開口を気密及び液密に塞ぐようにアルミ等で巻き閉め固定されており、ボトル本体５１から取り外し不能である。ただし、ボトル栓５２は、少なくとも一部がゴム、エラストマー等の弾性変形可能な材料により形成されており、注射器１の針２０による刺通が可能である。従って、薬剤容器５０からの薬剤の取り出しには、上述した注射器１が用いられる。また、ボトル栓５２の上面中央において、針２０が刺入される位置には、凹部（被係合部）５３が形成されている。この凹部５３は、後述するように、シース３０の先端部に形成された係合部と係合させるために設けられている。具体的には、この凹部５３は、開口部の内径が小さくなるように、開口周縁に径方向内方に延びるフランジ５３１が形成されている。なお、このボトル栓５２が本発明の蓋体に相当する。
【００２４】
＜３．注射器の各部の詳細＞
以下、注射器１の各部の詳細について、図３も参照しつつ説明する。図３はアセンブリ及びシリンジの下部を示す拡大図である。
＜３−１．シリンジ＞
図１及び図３に示すように、シリンジ３は、内部空間Ｓ１を規定するシリンダ６０と、シリンダ６０内で往復動するプランジャ７０とを備えている。シリンダ６０は、硬質のプラスチック、ガラス、金属等からなり、上方の開口した有底の円筒部材６１と、円筒部材６１の下方に連結された雌ネジ部材６２とを有する。雌ネジ部材６２は、上下に開口した円筒状の部材であり、図３に示すように、雌ネジ部材６２の内周面には、ネジ溝が形成されている。このネジ溝は、後述する針アセンブリ２の基台部１０に設けられているネジ溝と螺合する。雌ネジ部材６２は、円筒部材６１の略円形の底に形成された略円形の開口を取り囲むように配置され、その結果、円筒部材６１の底の開口と、雌ネジ部材６２の上方の開口とが連通している。両部材６１，６２は、一体成型品、又は別部材のいずれであってもよいが、両部材６１，６２の連結箇所は、外部に対し閉塞している。
【００２５】
プランジャ７０は、円柱部材７１と、この円柱部材７１の後端（図１の上端）に連続している略円形で平板状のフランジ７２と、円柱部材７１の先端（図１の下端）に連結されているガスケット７３とを有する。円柱部材７１及びガスケット７３は、シリンダ６０の上方の開口からシリンダ６０内に挿入され、シリンダ６０内を往復動する。円柱部材７１とフランジ７２とは、硬質のプラスチック、ガラス、金属等からなり、本実施形態では一体成型品である。フランジ７２は、ユーザーがプランジャ７０をシリンダ６０内で可動させるために指を引っ掛けて押したり、引いたりするための部位である。ガスケット７３は、エラストマー等からなり、プランジャ７０とともに内部空間Ｓ１を規定し、プランジャ７０の内表面にしっかりと接触して内部空間Ｓ１を外部に対し気密及び液密に保つとともに、円柱部材７１がシリンダ６０から脱落しないようにする。
【００２６】
＜３−２．針アセンブリ＞
次に、針アセンブリ２について説明する。針アセンブリ２は、図３に示すように、針２０と、この針２０を支持する基台部１０と、針２０を覆うシース３０とを有する。基台部１０は、硬質のプラスチック、ガラス、金属等からなり、有底の円筒状である。針２０は、硬質の金属、プラスチック等からなり、基台部１０の略円形の底の中心付近から下方に延びている。基台部１０の外周面には、シリンジ３の雌ネジ部材６２の内周面に形成されているネジ溝と螺合するネジ溝が形成されている。従って、雌ネジ部材６２と基台部１０とは、全体として連結機構４０を構成し、これにより、針アセンブリ２とシリンジ３とが着脱自在となる。針２０の内部には、この針２０の延びる方向に沿って、シリンジ３の内部空間Ｓ１から針２０の先端付近に形成されている針穴２１Ａまで延びる流通路２１が形成されている。
【００２７】
シース３０は、筒状に延びるカバー本体３１と、その先端部に設けられた係合部３７とが、一体的に形成されることで構成されている。カバー本体３１及び係合部３７は、弾性材料からなり、後述されるカバー本体３１に求められる機能である伸縮性を備える。カバー本体３１は、先端部が閉じ（本発明の閉鎖部）、上端部のみが開口した細長い袋の形状であるが、その開口付近の部位が基台部１０の下部を包み込み、収容空間Ｓ２が外部に対し気密及び液密に保たれるような態様で、基台部１０の下部に取り外し不能に強固に固定されている。こうして、カバー本体３１は、筒状に形成されることで、基台部１０に固定されている針２０を収容する収容空間Ｓ２を規定する。これにより、薬剤で汚染された針２０の針先等が外部に暴露することも防止する。また、シース３０により、針２０の無菌性も保たれる。
【００２８】
また、上述した係合部３７はカバー本体３１の先端部で径方向外方に突出する突起３７１を有している。この突起３７１は、上述した薬剤容器５０のボトル栓５２に形成された凹部５３に、弾性変形することで係合するように形成されている。
【００２９】
なお、カバー本体３１と基台部１０との固定の態様としては、注射器１を通常の方法で使用する場合にシース３０が基台部１０から取り外されることのない程度の強度を確保できるのであれば、任意の方法を採用することができる。例えば、接着剤を使用してもよいし、両者を熱溶着してもよいし、シース３０の膨張による張力が基台部１０の下部に加わるようにしてもよい。また、シールリング等の任意の固定具を用いてもよい。
【００３０】
＜４．注射器の使用方法＞
以下、注射器１を用いて薬剤容器５０から薬剤を抜き取る作業の流れについて、図４及び図５を参照しつつ説明する。なお、ここでは、最初に薬剤容器５０内に封入されている薬剤は、液状であるものとする。
【００３１】
まず、ユーザーは、シリンジ３と針アセンブリ２とを連結機構４０を介して連結させることにより注射器１を準備する。
【００３２】
続いて、ユーザーは、注射器１の針２０を薬剤容器５０のボトル栓５２に刺通することにより、針２０内の流通路２１を介してシリンジ３の内部空間Ｓ１と薬剤容器５０の内部空間とを連通させる。この過程を詳細に説明する。まず、ユーザーは、図４（ａ）に示すように、シース３０の先端を、薬剤容器５０のボトル栓５２の凹部５３に押し込み、係合部３７の突起３７１と、凹部５３のフランジ５３１とを係合させる。これに続いて、図４（ｂ）に示すように、針２０をボトル栓５２に押し込むと、針２０は、シース３０の先端部及びボトル栓５２を貫通する。こうして針２０がボトル栓５２に差し込まれる過程では、シリンジ３がボトル栓５２に近づくため、シース３０はシリンジ３とボトル栓５２との間で押しつぶされ、弾性変形によって軸方向に縮んだ形態となる。
【００３３】
そして、針２０の先端が、薬剤容器５０内の薬剤に到達すると、ユーザーは、プランジャ７０をシリンダ６０から引き抜く方向に引っ張ることにより、シリンジ３の内部空間Ｓ１へ薬剤容器５０内の薬剤を吸引する。なお、薬剤容器５０内の薬剤の残量が少なくなった場合には、針２０を挿入したまま薬剤容器５０を上下逆さまにすることで、薬剤容器５０内の薬剤液を最後まで吸引することができる。その後、ユーザーは、注射器１全体を上方に引き上げることにより、針２０を薬剤容器のボトル栓５２から引き抜く。
【００３４】
このとき、針２０は、ボトル栓５２及びシース３０の先端部から、この順で引き抜かれていくが、ボトル栓５２とシース３０とは係合状態にあるため、図５（ａ）に示すように、針２０がシース３０の先端部から引き抜かれた後も、シース３０の先端部はボトル栓５２に固定されたままとなる。そして、針２０がシース３０の内部に完全に収容された後、さらに注射器１を薬剤容器５０から引っ張ると、図５（ｂ）に示すように、弾性変形により、シース３０の先端部の係合部３７がボトル栓５２の凹部５３から離脱し、注射器１は薬剤容器５０から離間する。したがって、薬剤容器５０内にある針２０を引き抜く過程において、針２０は外部に露出することなく、再びシース３０内に収容される。このとき、ボトル栓５２とシリンジ３とが離間していくため、その間にあるシース３０は弾性変形により、元の形状へと伸長していく。この弾性変形によっても、針２０がシース３０内に収容されていくのを助長する。
【００３５】
以上の作業により、薬剤容器５０内の薬剤を注射器１に抜き取ることができる。その後、ユーザーは、適宜、注射器１内の薬剤を使用することができる。なお、ボトル栓５２及びシース３０は弾性材料で形成されているため、針２０の刺通により形成された貫通孔は自動的に閉じられる。
【００３６】
なお、粉末状や固形状の薬剤が薬剤容器５０に収容されている場合には、まず混合液を薬剤容器５０に注入し、薬剤を溶解させる。その上で、上述した方法により、注射器１に薬剤を吸引する。この場合、混合液を注入するのに使用する注射器と、溶解した薬剤を吸引する注射器は同じものでもよいし、別のものであってもよい。
【００３７】
＜５．特徴＞
以上のように、本実施形態によれば、シース３０の先端部とボトル栓５２とが係合するため、次のような利点がある。まず、このような係合状態を構成しない場合には、針２０をボトル栓５２から引き抜くと、例えば、図６に示すように、針２０がシース３０に収容される前に、外部に露出するおそれがある。この点をさらに詳細に説明すると、針２０を引き抜いたときに、針２０がシース３０に収容されるためには、シリンジ３をボトル栓５２から引き離したときに、シース３０が弾性により伸長することが必要となる。すなわち、針２０は、シース３０の弾性変形による伸長によってシース３０内に再び収容される。しかしながら、針２０をボトル栓５２から素早く引き抜いたときには、シース３０が伸長する前に、針２０がボトル栓５２から抜け出され、これによって針２０が露出してしまう。そして、針２０に付着した薬剤は、シース３０が伸長して針を収容する前に、外部に露出するおそれがある。さらに、針２０の抜き出しから遅れてシース３０が伸長すると、シース３０の先端部によって、針２０の外周面が擦られ、針２０に付着した薬剤が飛散する可能性がある。
【００３８】
これに対して、本実施形態においては、針２０が素早く引き抜かれても、針２０がシース３０の先端部を通過してシース３０内に完全に収容されるまでは、シース３０がボトル栓５２に固定されているため、針２０が外部に露出することを防止することができる。その結果、針２０に付着した薬剤が飛散するのを確実に防止することができる。
【００３９】
＜６．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００４０】
＜６−１＞
上記実施形態では、シース３０とボトル栓５２とを固定するために、シース３０に設ける固定構造を係合部３７としたが、これ以外の構成であってもよい。例えば、図７に示すように、シース３０の先端に鋭利な突起３８を少なくとも１つ設け、これがボトル栓５２に刺し込まれるようにすることもできる。これにより、シース３０の先端部とボトル栓５２とを着脱自在に固定することができる。このような突起３８は金属、プラスチックなど、ボトル栓５２に差し込み可能である限りは種々の材料で形成することができる。以上の例は、後述する蓋カバーや薬剤容器収容装置においても適用可能である。
【００４１】
＜６−２＞
シース３０の形状は、特には限定されず、少なくとも針２０を全長に亘って収容できるような形態であればよい。また、上述したように、シース３０は、弾性材料で形成されているため、針２０の軸方向に伸縮可能であるが、この方向の伸縮性を向上するため、図８に示すように、シース３０を蛇腹状に形成することもできる。
【００４２】
＜６−３＞
また、上記実施形態では、シース３０の先端部が閉じられているが、図９に示すように、開口３７０を形成することもできる。
【００４３】
＜６−４＞
上記実施形態では、薬剤容器５０のボトル栓５２に対して、シース３０を固定し、その後、薬剤容器５０の薬剤を吸引するようにしている。ここで、吸引対象となる薬剤容器５０の形態は種々の変更が可能である。例えば、図１０に示すように、薬剤容器５０のボトル栓５２に、蓋カバー１００を取付けた上で、薬剤の吸引を行うこともできる。この蓋カバー１００は、薬剤の飛散を確実に防止するために用いられる。以下、詳述する。
【００４４】
図１０は蓋カバーが取付けられた薬剤容器の斜視図（ａ）及びその一部拡大断面図（ｂ）である。同図に示すように、蓋カバー１００は、全体的には底面側が開口した円形のカップ状であり、円筒状の周壁１０１と、周壁１０１の上端縁に連続する円板状の天面部１０２と、周壁１０１の下端縁に連続するリング部材１０３とを有し、これらが一体的に形成されている。リング部材１０３の周方向の断面形状は、例えば、頂点が径方向内側を向いた、丸みを帯びた三画形状とすることができる。蓋カバー１００全体は、イソプレンゴム、シリコンゴム、熱可塑性のエラストマー等の、特に医療分野で汎用されている軟質の弾性材料から形成されており、シリンジ３の針２０による刺通が可能である。
【００４５】
また、蓋カバー１００の天面部１０２には、上記実施形態で示した凹部１５２が形成されている。これにより、シリンジ３のシース３０に設けられた係合部３７と係合可能である。周壁１０１の内径は、薬剤容器５０のボトル栓（閉鎖部材）５２の外径と概ね同じサイズである。従って、周壁１０１は、その内側にボトル栓５２を受け入れることが可能であるが、リング部材１０３の内径は、ボトル栓５２の外径よりもやや小さい。従って、ボトル栓５２に対して蓋カバー１００を取り付けるに当たり、ボトル栓５２がリング部材１０３側から蓋カバー１００内へ挿入される際には、リング部材１０３を中心として蓋カバー１００が、その弾性により変形する。しかしながら、一旦、蓋カバー１００内にボトル栓５２が収容されてしまうと、蓋カバー１００は、その弾性により元の形状に復帰し、リング部材１０３は、周方向に沿って隙間なく、ボトル栓５２の下部及びボトル本体５０のネック部の上部にしっかり密着する。よって、リング部材１０３は、ボトル栓５２を下方から支持することになる。
【００４６】
その結果、ボトル栓５２全体が、蓋カバー１００内に気密に収容されることになる。薬剤を吸引する際には、上記実施形態と同様にシース３０の係合部３７を凹部１５２に係合させた状態で、針２０を刺入する。このとき、針２０は、蓋カバー１００及びボトル栓５２を通過した上で、薬剤容器５０の内部に進入する。この例では、ボトル栓５２が蓋カバー１００に覆われているため、シース３０は、蓋カバー１００に係合することになるが、得られる効果は上記実施形態と同じである。なお、蓋カバーの構成は特には限定されず、ボトル栓５２を気密に覆うことができれば、その形状は種々の変更が可能である。
【００４７】
＜６−５＞
上記蓋カバー１００は、薬剤容器５０のボトル栓５２を覆うように設けられているが、薬剤容器５０全体を収容する薬剤容器収容装置を用いることもできる。以下、詳述する。
【００４８】
図１１に示すように、この薬剤容器収容装置２００は、上部に開口を有する有底円筒状の本体部２０１と、この本体部の開口を気密に塞ぐ蓋材２０２とを備えており、この本体部２０１に上述した薬剤容器５０が収容される。本体部２０１は、プラスチックなどの透明な樹脂材料で形成されている。また、蓋材２０２には、ゴムなどの弾性材料で形成された蓋部材２０３が取付けられており、この蓋部材２０３の表面には上述した凹部２０４が形成されている。そして、本体部２０１を蓋材２０２で閉じることで、薬剤容器５０は本体部２０１内で固定される。すなわち、薬剤容器は、本体部の底面と、蓋材との間で挟まれ、これによって薬剤容器収容装置内で、薬剤容器が動かないように固定される。また、薬剤容器５０のボトル栓５２と、蓋材２０２の蓋部材２０３とが対向するようになる。この状態で、シリンジ３を用いて薬剤を吸引する。針２０は蓋部材（第２蓋部材）２０３及びボトル栓（第１蓋部材）５２を通過した上で、薬剤容器の内部に進入する。この例では、ボトル栓５２が蓋部材２０３に覆われているため、シース３０は、蓋部材２０３に係合することになるが、得られる効果は上記実施形態と同じである。
【００４９】
なお、薬剤容器収容装置の構成は上述したもの以外に種々の変更が可能である。例えば、上記の例では、蓋材２０２を取り外すことで、薬剤容器５０を収容しているが、本体部２０１の底面を取り外して薬剤容器５０を収容することもできる。
【００５０】
＜６−６＞
上記実施形態では、シリンジ３と、針アセンブリ２とを着脱自在としたが、これらを取り外し不能としてもよい。
【符号の説明】
【００５１】
１  注射器（針付きシリンジ）
２  針アセンブリ
２Ａ  針ユニット
３  シリンジ
２０  針
２１Ａ  針穴
３０  シース（針カバー）
３７  係合部
５３  凹部（被係合部）
【図１】
2014236906.tif 000003
【図２】
2014236906.tif 000004
【図３】
2014236906.tif 000005
【図４】
2014236906.tif 000006
【図５】
2014236906.tif 000007
【図６】
2014236906.tif 000008
【図７】
2014236906.tif 000009
【図８】
2014236906.tif 000010
【図９】
2014236906.tif 000011
【図１０】
2014236906.tif 000012
【図１１】
2014236906.tif 000013